(57)【要約】【課題】  超広角レンズ系にレンズシフト機能を付加する場合であっても近接撮像及び無限撮像の双方を良好に行い、超広角レンズ装置の高性能多機能化を実現できる。【解決手段】  開口絞り部２に対して被写体側Ｆｓに位置する前レンズ群Ｇｆにおける、特に、結像側Ｄｒにある第二レンズ群Ｇ２に、被写体側Ｄｆから１番目に位置する接合レンズを用いた第１レンズ部Ｌｊ１，被写体側Ｄｆから２番目に位置する接合レンズを用いた第２レンズ部Ｌｊ２，及び被写体側Ｄｆから３番目に位置する接合レンズを用いた第３レンズ部Ｌｊ３を設けるとともに、全系の焦点距離をＦ０、全系のバックフォーカスをＢＦ、第１レンズ部Ｌｊ１の焦点距離をＦＣ１、第２レンズ部Ｌｊ２の焦点距離をＦＣ２、第３レンズ部Ｌｊ３の焦点距離をＦＣ３としたとき、少なくとも、（ＢＦ／Ｆ０）＞２．９，ＦＣ１＜ＦＣ２＜ＦＣ３，の光学条件を満たすように構成する。【選択図】  図１
2015219507.tif 000002
【特許請求の範囲】
【請求項１】
開口絞り部に対して被写体側に位置し、負の屈折力を有する第一レンズ群と正の屈折力を有する第二レンズ群を有するとともに、前記第一レンズ群は最も被写体側から少なくとも三枚の負レンズを有し、この負レンズにおける少なくとも一枚の負レンズは中心から外周部へ行くに従って負の屈折力が小さくなる形状を有する非球面負メニスカスレンズとして形成してなる前レンズ群と、開口絞り部に対して結像側に位置し、フォーカシング機能を有する後レンズ群とを備える広角レンズ装置であって、前記第二レンズ群に、被写体側から１番目に位置する接合レンズを用いた第１レンズ部，被写体側から２番目に位置する接合レンズを用いた第２レンズ部，及び被写体側から３番目に位置する接合レンズを用いた第３レンズ部を設けるとともに、全系の焦点距離をＦ０、全系のバックフォーカスをＢＦ、前記第１レンズ部の焦点距離をＦＣ１、前記第２レンズ部の焦点距離をＦＣ２、前記第３レンズ部の焦点距離をＦＣ３としたとき、少なくとも、（ＢＦ／Ｆ０）＞２．９，ＦＣ１＜ＦＣ２＜ＦＣ３，の光学条件を満たすように構成することを特徴とする広角レンズ装置。
【請求項２】
前記光学条件は、前記前レンズ群のバックフォーカスをＢＦｆとしたとき、（│ＢＦｆ│／Ｆ０）＞２０，の条件を含むことを特徴とする請求項１記載の広角レンズ装置。
【請求項３】
前記後レンズ群は、負の屈折率を有する単一の非球面レンズを備えることを特徴とする請求項ｌ又は２記載の広角レンズ装置。
【請求項４】
前記後レンズ群は、非球面レンズＬ７を最終面に配することを特徴とする請求項３記載の広角レンズ装置。
【請求項５】
前記後レンズ群は、少なくとも二つの非球面レンズを配してなることを特徴とする請求項１〜４のいずれかに記載の広角レンズ装置。
【請求項６】
前記光学条件は、前レンズ群の焦点距離をＦｆ、後レンズ群の焦点距離をＦｒとしたとき、（Ｆｒ／│Ｆｆ│）＜０．６，の条件を含むことを特徴とする請求項１〜５のいずれかに記載の広角レンズ装置。
【請求項７】
前記第二レンズ群の接合レンズにより構成する第１レンズ部，第２レンズ部及び第３レンズ部は、被写体側から正負の順序になるように構成することを特徴とする請求項１〜６のいずれかに記載の広角レンズ装置。
【請求項８】
前記第一レンズ群は、レンズ材料のアッベ数をνｄとしたとき、νｄ＞８０，の条件を含む少なくとも三枚の負レンズを備えることを特徴とする請求項１〜７のいずれかに記載の広角レンズ装置。
【請求項９】
前記光学条件は、（Ｆ０／Ｆｆ）＞０．１，の条件を含むことを特徴とする請求項１〜８のいずれかに記載の広角レンズ装置。
【請求項１０】
レンズシフト機能を付加した交換レンズとして構成することを特徴とする請求項１〜９のいずれかに記載の広角レンズ装置。
【発明の詳細な説明】
【技術分野】
【０００１】
本発明は、広い空間範囲を撮像する際などに用いる広角レンズ装置、特に画角の大きい超広角レンズ装置を含む広角レンズ装置に関する。
【背景技術】
【０００２】
従来、画角の大きいレトロフォーカスタイプの広角レンズは各種知られているが、本発明に関連する超広角レンズを含む広角レンズとしては、特許文献１で開示される２群ズームレンズ及び特許文献２で開示される広角レンズが知られている。
【０００３】
同文献１で開示される２群ズームレンズは、大画角、Ｆ２．８の大口径、及び高倍率を有し、高解像かつ製造容易な２群ズームレンズの提供を目的としたものであり、具体的には、物体側から順に、負の屈折力を有する第１レンズ群と、正の屈折力を有する第２レンズ群とからなり、第１レンズ群と第２レンズ群との空気間隔を変化させることによって変倍を行う２群ズームレンズにおいて、第２レンズ群は、物体側から順に、第１正レンズ成分と、開口絞りと、第２正レンズ成分と、負レンズとを含み、所定の条件式を満足するように構成したものである。
【０００４】
また、同文献２で開示される広角レンズは、大画角でありながら高い結像性能を有する広角レンズの提供を目的としたものであり、具体的には、開口絞りより物体側の前群と、該開口絞りより像側の後群とを有し、前群は負の屈折力を有する部分群を有し、当該部分群は、最も物体側から順に、少なくとも３枚の負レンズを有し、当該少なくとも３枚の負レンズのうち少なくとも１枚は非球面負メニスカスレンズであり、この非球面負メニスカスレンズは、レンズ中心部から周辺部に向かうにつれて負の屈折力が小さくなる形状を有し、部分群よりも像側に、正レンズと負レンズと正レンズとの接合よりなる接合レンズを有し、所定の条件を満足し、前群における光学面のうち少なくとも１面に反射防止膜が設けられ、当該反射防止膜はウェットプロセスを用いて形成された層を少なくとも１層含ませた構成を備えるものである。
【先行技術文献】
【特許文献】
【０００５】
【特許文献１】特開２００７−９４１７６号公報
【特許文献２】特開２０１２−７８５５０号公報
【発明の概要】
【発明が解決しようとする課題】
【０００６】
しかし、上述した従来の広角レンズ（広角レンズ装置）は、次のような解決すべき課題も存在した。
【０００７】
第一に、広角レンズとしての単一機能を備える限りにおいては特に支障となることはないが、レンズシフト機能等の他の機能を付加する際の対応能力の観点からは必ずしも十分といえるものではない。例えば、焦点距離が１９〔ｍｍ〕以下となるような超広角レンズの場合、画角はかなり大きくなるため、レンズシフト機能を付加する場合、像面の変位に対するイメージサークルを大きくする必要がある。したがって、交換レンズとして構築する場合、装着できるカメラ本体が限定されたりシフト範囲が限定されてしまう。結局、ニーズに応え得るレンズシフト機能を付加した超広角レンズの実用化が実現されていないのが実情である。
【０００８】
第二に、超広角レンズにレンズシフト機能を付加する場合、光学的にはバックフォーカスを長くする必要があるが、反面、近接撮像に支障を生じやすい。結局、十分なレンズシフト機能を確保し、同時に十分なレンズ性能（各種収差の抑制等）を確保することは容易でなく、レンズシフト機能とレンズスペックの双方を満足させる形で両立させることができない難点があった。
【０００９】
本発明は、このような背景技術に存在する課題を解決した広角レンズ装置の提供を目的とするものである。
【課題を解決するための手段】
【００１０】
本発明は、上述した課題を解決するため、開口絞り部２に対して被写体側Ｄｆに位置し、負の屈折力を有する第一レンズ群Ｇ１と正の屈折力を有する第二レンズ群Ｇ２を有するとともに、第一レンズ群Ｇ１は最も被写体側Ｄｆから少なくとも三枚の負レンズＬ１，Ｌ２，Ｌ３…を有し、この負レンズＬ１，Ｌ２，Ｌ３…における少なくとも一枚の負レンズＬ２…は中心から外周部へ行くに従って負の屈折力が小さくなる形状を有する非球面負メニスカスレンズとして形成してなる前レンズ群Ｇｆと、開口絞り部２に対して結像側Ｄｒに位置し、フォーカシング機能を有する後レンズ群Ｇｒとを備える広角レンズ装置１であって、第二レンズ群Ｇ２に、被写体側Ｄｆから１番目に位置する接合レンズを用いた第１レンズ部Ｌｊ１，被写体側Ｄｆから２番目に位置する接合レンズを用いた第２レンズ部Ｌｊ２，及び被写体側Ｄｆから３番目に位置する接合レンズを用いた第３レンズ部Ｌｊ３を設けるとともに、全系の焦点距離をＦ０、全系のバックフォーカスをＢＦ、第１レンズ部Ｌｊ１の焦点距離をＦＣ１、第２レンズ部Ｌｊ２の焦点距離をＦＣ２、第３レンズ部Ｌｊ３の焦点距離をＦＣ３としたとき、少なくとも、（ＢＦ／Ｆ０）＞２．９，ＦＣ１＜ＦＣ２＜ＦＣ３，の光学条件を満たすように構成してなることを特徴とする。
【００１１】
この場合、発明の好適な態様により、光学条件には、前レンズ群ＧｆのバックフォーカスをＢＦｆとしたとき、（│ＢＦｆ│／Ｆ０）＞２０，の条件を含ませることができる。一方、後レンズ群Ｇｒには、負の屈折率を有する単一の非球面レンズＬ６を設けることができるとともに、非球面レンズＬ７を最終面に配することができる。したがって、後レンズ群Ｇｒには、少なくとも二つの非球面レンズＬ６，Ｌ７…を配することが望ましい。また、光学条件には、前レンズ群Ｇｆの焦点距離をＦｆ、後レンズ群Ｇｒの焦点距離をＦｒとしたとき、（Ｆｒ／│Ｆｆ│）＜０．６，の条件を含ませることができる。さらに、第二レンズ群Ｇ２における接合レンズにより構成する第１レンズ部Ｌｊ１，第２レンズ部Ｌｊ２及び第３レンズ部Ｌｊ３は、被写体側Ｄｆから正負の順序になるように構成することができる。また、第一レンズ群Ｇ１には、レンズ材料のアッベ数をνｄとしたとき、νｄ＞８０，の条件を含む少なくとも三枚の負レンズＬ３，Ｌ４，Ｌ５…を設けることができる。加えて、光学条件には、（Ｆ０／Ｆｆ）＞０．１，の条件を含ませることができる。なお、広角レンズ装置１は、レンズシフト機能Ｆｓを付加した交換レンズ１ｅとして構成することができる。
【発明の効果】
【００１２】
このような構成を有する本発明に係る広角レンズ装置１によれば、次のような顕著な効果を奏する。
【００１３】
（１）  例えば、レンズシフト機能に必要となる十分な長さのバックフォーカスＢＦを確保しつつ十分なレンズ性能（スペック）を確保できる。特に、前レンズ群Ｇｆには、レンズ構成及び光学条件の設定によりレンズパワーを徐々に小さくしつつ光線を収束させるレンズ系を含ませたため、画角を大きくした場合であっても特に球面収差を含む各種収差を効果的に抑制することができる。この結果、レンズシフト機能とレンズスペックの双方を満足させる形で両立させることが可能となり、焦点距離が１９〔ｍｍ〕以下となるような超広角レンズ系にレンズシフト機能を付加する場合であっても近接撮像及び無限撮像の双方を良好に行えるなど、超広角レンズ装置の高性能多機能化を実現できる。
【００１４】
（２）  好適な態様により、光学条件に、（│ＢＦｆ│／Ｆ０）＞２０，の条件を含ませれば、（│ＢＦｆ│／Ｆ０）の値を十分に大きくできるため、前レンズ群Ｇｆから出光する光線を略平行光（無限光）にできる。即ち、近接撮像時及び無限撮像時の双方において略平行光にできるため、近接撮像及び無限撮像の双方における収差を低減した高画質撮像を実現できるとともに、安定かつ良好なリアフォーカス調整を行うことができる。
【００１５】
（３）  好適な態様により、後レンズ群Ｇｒに、負の屈折率を有する単一の非球面レンズＬ６を設ければ、この非球面レンズＬ６の作用により、特に、コマ収差を有効に抑制できる。
【００１６】
（４）  好適な態様により、後レンズ群Ｇｒにおける最終面を非球面レンズＬ７により構成すれば、最終面に配した非球面レンズＬ７の作用により、特に、球面収差，非点収差及び歪曲収差を効果的に抑制できる。
【００１７】
（５）  好適な態様により、後レンズ群Ｇｒに、少なくとも二つの非球面レンズＬ６，Ｌ７…を配すれば、一方の非球面レンズＬ６の作用により、コマ収差を有効に抑制できるとともに、他方の非球面レンズＬ７の作用により球面収差，非点収差及び歪曲収差を有効に抑制できるなど、全体における各種収差を効果的に抑制できる。
【００１８】
（６）  好適な態様により、光学条件に、（Ｆｒ／│Ｆｆ│）＜０．６，の条件を含ませれば、前レンズ群Ｇｆの焦点距離を長くし、後レンズ群Ｇｒの焦点距離を短くできるため、いわば、前レンズ群Ｇｆの焦点距離を正側の焦点距離にすることができる。一般にこの種の広角レンズ装置は、レトロフォーカスタイプとなり、前レンズ群Ｇｆの焦点距離は負側の焦点距離となるが、この条件を含ませることにより、正側の焦点距離にすることができるため、本発明に係る広角レンズ装置１としての機能をより最適化できる。
【００１９】
（７）  好適な態様により、第二レンズ群Ｇ２における接合レンズにより構成する第１レンズ部Ｌｊ１，第２レンズ部Ｌｊ２及び第３レンズ部Ｌｊ３を、被写体側Ｄｆから正負の順序になるように構成すれば、順次配列する三組の接合レンズによる相乗的効果により、良好な色収差を安定に維持できる。
【００２０】
（８）  好適な態様により、第一レンズ群Ｇ１に、レンズ材料のアッベ数をνｄとしたとき、νｄ＞８０，の条件を含む少なくとも三枚の負レンズＬ３，Ｌ４，Ｌ５…を設ければ、第二レンズ群Ｇ２と組合わせることにより更なる色収差の改善に寄与できる。
【００２１】
（９）  好適な態様により、光学条件に、（Ｆ０／Ｆｆ）＞０．１，の条件を含ませれば、この条件からも前レンズ群Ｇｆの焦点距離を正の焦点距離にできるため、本発明に係る広角レンズ装置１としての機能をより最適化することができ、特にコマ収差と歪曲収差の抑制に寄与できる。
【００２２】
（１０）  好適な態様により、広角レンズ装置１を、レンズシフト機能Ｆｓを付加した交換レンズ１ｅとして構成すれば、本発明に係る広角レンズ装置１を実施するに際し、有効な作用効果を享受する観点から最も望ましいパフォーマンスを発揮する形態として実施できる。
【図面の簡単な説明】
【００２３】
【図１】本発明の好適実施形態に係る広角レンズ装置の構成図、
【図２】同広角レンズ装置の作用説明図、
【図３】同広角レンズ装置（本発明品）と従来品を対比して示す諸元表、
【図４】同広角レンズ装置の球面収差図，非点収差図及び歪曲収差図、
【図５】同広角レンズ装置のコマ収差図、
【図６】同広角レンズ装置にレンズシフト機能を付加した変更実施形態を示す構成及び作用説明図、
【発明を実施するための形態】
【００２４】
次に、本発明に係る好適実施形態を挙げ、図面に基づき詳細に説明する。
【００２５】
まず、本実施形態に係る広角レンズ装置１の構成について、図１及び図２を参照して具体的に説明する。
【００２６】
図１中、１０は本実施形態に係る広角レンズ装置１に対して離間した像面を示し、この像面１０は図示を省略したカメラ本体に内蔵する。したがって、広角レンズ装置１において、像面１０が位置する図中右側が結像側Ｄｒになるとともに、反対側となる図中左側が被写体側Ｄｓになる。また、２は、広角レンズ装置１における開口絞り部を示し、この開口絞り部２に対して、被写体側Ｆｓに位置する前レンズ群Ｇｆと、結像側Ｄｒに位置する後レンズ群Ｇｒにより、広角レンズ装置１の全体を構成する。
【００２７】
この場合、前レンズ群Ｇｆは、被写体側Ｆｓに位置することにより負の屈折力を有する第一レンズ群Ｇ１と、結像側Ｄｒに位置することにより正の屈折力を有する第二レンズ群Ｇ２により構成する。第一レンズ群Ｇ１は、最も被写体側Ｄｆから少なくとも三枚の負レンズＬ１，Ｌ２，Ｌ３を備える。実施形態は、五枚の負レンズＬ１，Ｌ２，Ｌ３，Ｌ４，Ｌ５を用いた場合を例示する。そして、この負レンズＬ１，Ｌ２，Ｌ３…における少なくとも一枚の負レンズ、例示は、負レンズＬ２を、中心部から外周部へ行くに従って負の屈折力が小さくなる形状を有する非球面負メニスカスレンズとして構成する。
【００２８】
また、第一レンズ群Ｇ１には、レンズ材料のアッベ数をνｄとしたとき、νｄ＞８０，の光学条件を含む少なくとも三枚の負レンズＬ１，Ｌ２，Ｌ３…を設ける。例示の場合、負レンズＬ３，Ｌ４，Ｌ５の三枚が、νｄ＞８０，の条件を満たしている。このような条件を含ませれば、後述する第二レンズ群Ｇ２と組合わせることにより色収差の改善に寄与できる。
【００２９】
一方、第二レンズ群Ｇ２は、被写体側Ｄｆから１番目に位置する接合レンズを用いた第１レンズ部Ｌｊ１，被写体側Ｄｆから２番目に位置する接合レンズを用いた第２レンズ部Ｌｊ２，及び被写体側Ｄｆから３番目に位置する接合レンズを用いた第３レンズ部Ｌｊ３を設けて構成する。この場合、第１レンズ部Ｌｊ１，第２レンズ部Ｌｊ２及び第３レンズ部Ｌｊ３は、いずれも、被写体側Ｄｆから正負の順序、即ち、第１レンズ部Ｌｊ１は、被写体側Ｄｆに正レンズＬ２１ｐを配し、かつ結像側Ｄｒに負レンズＬ２１ｎを配した接合レンズとして構成し、第２レンズ部Ｌｊ２は、被写体側Ｄｆに正レンズＬ２２ｐ配し、かつ結像側Ｄｒに負レンズＬ２２ｎを配した接合レンズとして構成し、第３レンズ部Ｌｊ３は、被写体側Ｄｆに正レンズＬ２３ｐを配し、かつ結像側Ｄｒに負レンズＬ２３ｎを配した接合レンズとして構成する。このように、第二レンズ群Ｇ２における接合レンズにより構成する第１レンズ部Ｌｊ１，第２レンズ部Ｌｊ２及び第３レンズ部Ｌｊ３を、被写体側Ｄｆから正負の順序になるように構成すれば、順次配列する三組の接合レンズにより良好な色収差を安定に維持できる利点がある。
【００３０】
また、本実施形態に係る広角レンズ装置１では、第１レンズ部Ｌｊ１，第２レンズ部Ｌｊ２及び第３レンズ部Ｌｊ３の光学条件を設定するに際し、第１レンズ部Ｌｊ１の焦点距離をＦＣ１、第２レンズ部Ｌｊ２の焦点距離をＦＣ２、第３レンズ部Ｌｊ３の焦点距離をＦＣ３としたとき、少なくとも、
ＦＣ１＜ＦＣ２＜ＦＣ３      …（１０１）
の条件を満たすように設定し、この設定を必須の条件とする。
【００３１】
他方、後レンズ群Ｇｒは、基本的な機能としてフォーカシング機能を備える。いわゆるリアフォーカス方式を採用する。この場合、レンズ鏡筒２０に配したフォーカスリング（図示は省略）を回動操作することにより、後レンズ群Ｇｒの各レンズを変位させ、フォーカス調整を行うことができる。なお、図２（ａ）は、後レンズ群Ｇｒを後方に変位させた無限撮像時の状態、図２（ｂ）は、後レンズ群Ｇｒを前方へ変位量Ｚｆだけ変位させた近接撮像時の状態をそれぞれ示している。図２（ａ）及び（ｂ）からも明らかなように、本実施形態に係る広角レンズ装置１では、開口絞り部２を通過する光線、即ち、前レンズ群Ｇｆから出光し、後レンズ群Ｇｒに入光する各光線は、無限撮像時及び近接撮像時共に略平行光となり、本実施形態に係る広角レンズ装置１の特徴的作用を示している。
【００３２】
さらに、後レンズ群Ｇｒは、図１に示すように、被写体側Ｄｆから結像側Ｄｒへ、正レンズＬ３１、負レンズＬ３２ｎと正レンズＬ３２ｐの接合レンズＬ３２、非球面レンズＬ６、正レンズＬ３３、凸メニスカスレンズＬ３４ｐと非球面レンズ（凹メニスカスレンズ）Ｌ７の接合レンズＬ３４を、順次配して構成する。この場合、非球面レンズＬ６は負の屈折率を有する単一の非球面レンズとして構成する。このように、後レンズ群Ｇｒに、負の屈折率を有する単一の非球面レンズＬ６を設ければ、この非球面レンズＬ６の作用により、特に、コマ収差を有効に抑制できる利点がある。
【００３３】
また、非球面レンズＬ７は、全系の最終面に配するレンズとなる。このように、後レンズ群Ｇｒにおける最終面を非球面レンズＬ７により構成すれば、最終面に配した非球面レンズＬ７の作用により、特に、球面収差，非点収差及び歪曲収差を効果的に抑制できる利点がある。なお、例示の場合、後レンズ群Ｇｒに、二つの非球面レンズＬ６，Ｌ７を配した場合を示したが、後レンズ群Ｇｒには、少なくとも二つの非球面レンズＬ６，Ｌ７…を配することができる。このように、後レンズ群Ｇｒに、少なくとも二つの非球面レンズＬ６，Ｌ７…を配するようにすれば、一方の非球面レンズＬ６の作用により、コマ収差を有効に抑制できるとともに、他方の非球面レンズＬ７の作用により球面収差，非点収差及び歪曲収差を有効に抑制できるなど、全体における各種収差を効果的に抑制できる利点がある。
【００３４】
一方、広角レンズ装置１は、このような幾何学的な構成に加えて、以下に示す光学条件を設定する。まず、前レンズ群Ｇｆと後レンズ群Ｇｒを含む全系の焦点距離をＦ０とし、全系のバックフォーカスをＢＦとしたとき、少なくとも、
（ＢＦ／Ｆ０）＞２．９      …（１０２）
の条件を満たすように設定する。この設定は本実施形態に係る広角レンズ装置１の必須の条件となる。
【００３５】
他方、上述した必須の条件（１０１）及び（１０２）に加えて、以下に示す光学条件を設定する。まず、前レンズ群Ｇｆの焦点距離をＦｆとし、後レンズ群Ｇｒの焦点距離をＦｒとしたとき、
（Ｆｒ／│Ｆｆ│）＜０．６  …（１０３）
の条件を満たす設定を行う。この条件を設定すれば、前レンズ群Ｇｆの焦点距離を長くし、後レンズ群Ｇｒの焦点距離を短くできるため、いわば、前レンズ群Ｇｆの焦点距離を正側の焦点距離にすることができる。一般にこの種の広角レンズ装置は、レトロフォーカスタイプとなり、前レンズ群Ｇｆの焦点距離は負側の焦点距離になるが、条件（１０３）を含ませることにより正側の焦点距離にすることができるため、本発明に係る広角レンズ装置１としての機能をより最適化できる利点がある。
【００３６】
さらに、前レンズ群のバックフォーカスをＢＦｆとしたとき、
（│ＢＦｆ│／Ｆ０）＞２０  …（１０４）
の条件を満たすように設定する。条件（１０４）を設定することにより、（│ＢＦｆ│／Ｆ０）の値を十分に大きくできるため、前レンズ群Ｇｆから出光する光線を略平行光（無限光）にできる。即ち、近接撮像時及び無限撮像時の双方において略平行光にできるため、近接撮像及び無限撮像の双方における収差を低減し、画質の高い良好な撮像を行えるとともに、安定かつ良好なリアフォーカス調整を行える利点がある。
【００３７】
加えて、光学条件として、
（Ｆ０／Ｆｆ）＞０．１      …（１０５）
の条件を満たすように設定する。条件（１０５）を設定すれば、この条件からも前レンズ群Ｇｆの焦点距離を正の焦点距離にできるため、本発明に係る広角レンズ装置１としての機能を、この条件からもより最適化することができ、特にコマ収差と歪曲収差の抑制に寄与できる利点がある。
【００３８】
次に、本実施形態に係る広角レンズ装置１の諸元（レンズデータ）について、図３〜図５を参照して説明する。
【００３９】
図３（ａ）及び（ｂ）は、共に本実施形態に係る広角レンズ装置１（本発明品）の諸元及び比較例として前述した特許文献１及び２に準ずる構成を有する市販品（従来品Ａ，Ｂ，Ｃ）の諸元をそれぞれ対比できるように一覧表で示したものである。図３（ａ）及び（ｂ）からも明らかなように、本発明品の場合には、前述した各光学条件（１０１）〜（１０５）を満たす設定となっている。
【００４０】
また、図４（ａ），（ｂ）及び（ｃ）は、本実施形態に係る広角レンズ装置１の各種収差特性を示し、図４（ａ）は球面収差特性、図４（ｂ）は非点収差特性、図４（ｃ）は歪曲収差特性をそれぞれ示す。さらに、図５（ａ）及び（ｂ）は、本実施形態に係る広角レンズ装置１の他の収差特性を示し、図５（ａ）は、コマ収差メリジオナル特性、図５（ｂ）は、コマ収差サジタル特性をそれぞれ示す。いずれの特性も良好な結果を得ている。
【００４１】
このように、本実施形態に係る広角レンズ装置１は、基本的な構成として、開口絞り部２に対して被写体側Ｄｆに位置し、負の屈折力を有する第一レンズ群Ｇ１と正の屈折力を有する第二レンズ群Ｇ２を有するとともに、第一レンズ群Ｇ１は最も被写体側Ｄｆから少なくとも三枚の負レンズＬ１，Ｌ２，Ｌ３…を有し、この負レンズＬ１，Ｌ２，Ｌ３…における少なくとも一枚の負レンズＬ２…は中心から外周部へ行くに従って負の屈折力が小さくなる形状を有する非球面負メニスカスレンズとして形成してなる前レンズ群Ｇｆと、開口絞り部２に対して結像側Ｄｒに位置し、フォーカシング機能を有する後レンズ群Ｇｒとを備えて構成し、加えて、第二レンズ群Ｇ２に、被写体側Ｄｆから１番目に位置する接合レンズを用いた第１レンズ部Ｌｊ１，被写体側Ｄｆから２番目に位置する接合レンズを用いた第２レンズ部Ｌｊ２，及び被写体側Ｄｆから３番目に位置する接合レンズを用いた第３レンズ部Ｌｊ３を設けるとともに、全系の焦点距離をＦ０、全系のバックフォーカスをＢＦ、第１レンズ部Ｌｊ１の焦点距離をＦＣ１、第２レンズ部Ｌｊ２の焦点距離をＦＣ２、第３レンズ部Ｌｊ３の焦点距離をＦＣ３としたとき、少なくとも、（ＢＦ／Ｆ０）＞２．９，ＦＣ１＜ＦＣ２＜ＦＣ３，の光学条件を満たすように構成したため、画角を大きくした場合であっても特に球面収差を含む各種収差を効果的に抑制でき、超広角レンズの高性能多機能化を実現できる。
【００４２】
特に、前レンズ群Ｇｆにおけるレンズ構成及び光学条件を設定することにより、レンズパワーを徐々に小さくしつつ光線を収束させるレンズ系を含ませたため、例えば、レンズシフト機能とレンズスペックの双方を満足させる形で両立させることが可能となり、焦点距離が１９〔ｍｍ〕以下となるような超広角レンズ系にレンズシフト機能を付加する場合であっても近接撮像及び無限撮像の双方を良好に行うことができるなど、レンズシフト機能の確保に必要となる十分な長さのバックフォーカスＢＦを確保しつつ十分なレンズ性能（スペック）を確保できる。
【００４３】
図６に、図１に示した広角レンズ装置１にレンズシフト機能を付加した交換レンズ１ｅを変更実施形態として示す。
【００４４】
同図中、５０はカメラ本体を示す。例示のカメラ本体５０は、一眼レフ方式のデジタルスチルカメラであり、内部にはＣＣＤ等により構成する像面１０を備えている。また、例示の交換レンズ１ｅは、広角レンズ装置１における結像側Ｄｒの端面にレンズシフト機能Ｆｓを付加した構成を備えるため、レンズシフト機能Ｆｓの後端面をカメラ本体５０の前面に対して装着（着脱）することができる。
【００４５】
即ち、レンズシフト機能Ｆｓは、後面にレンズマウント部３２を有するレンズ支持部３３と、このレンズ支持部３３の前面にスライド変位可能に支持される被支持部３４を備えるとともに、交換レンズ１ｅは、この被支持部３４の前端面に広角レンズ装置１の後端面を結合した基本的構成を有している。したがって、レンズ支持部３３の後端面に設けたレンズマウント部３２を、カメラ本体５０の前面に設けたカメラマウント部５１に対して着脱させることができる。
【００４６】
図６において、Ｘｎがシフトしていない広角レンズ装置１の位置を示すとともに、Ｘｓが広角レンズ装置１を下方へシフト量Ｚｓだけ相対変位させた状態を示している。本実施形態に係る広角レンズ装置１（交換レンズ１ｅ）によれば、前レンズ群Ｇｆが、例えば、焦点距離１９〔ｍｍ〕以下となるような大きな画角を有する超広角レンズ装置１として構成される場合であっても、前レンズ群Ｇｆから出光する光線を略平行光（無限光）にできるため、レンズシフト機能Ｆｓの確保に必要となる十分な長さのバックフォーカスＢＦを確保でき、シフト範囲が無用に制限されることのない良好なレンズシフト機能Ｆｓを実現できる。しかも、近接撮像時及び無限撮像時の双方において略平行光にできるため、近接撮像及び無限撮像の双方における収差を低減し、画質の高い良好な撮像を行うことができるとともに、安定かつ良好なリアフォーカス調整を行うことができる。この結果、図４及び図５に示すように、十分なレンズ性能（各種収差の抑制等）、即ち、レンズスペックを確保できる。
【００４７】
このように、本実施形態に係る広角レンズ装置１は、レンズシフト機能Ｆｓを付加した交換レンズ１ｅとして構成すれば、本発明の有効な作用効果を享受する観点から最も望ましいパフォーマンスを発揮する形態として実施できる。
【００４８】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００４９】
例えば、本発明では、光学条件として、（ＢＦ／Ｆ０）＞２．９，ＦＣ１＜ＦＣ２＜ＦＣ３，の条件を満たせば足り、これ以外の、（│ＢＦｆ│／Ｆ０）＞２０，（Ｆｒ／│Ｆｆ│）＜０．６，νｄ＞８０，（Ｆ０／Ｆｆ）＞０．１の各条件は、設計する広角レンズ装置１の使用目的や用途に応じて、一つ又は二つ以上を組合わせて採用可能であるとともに、必ずしも採用することを要しない。また、後レンズ群Ｇｒに、二つの非球面レンズＬ４，Ｌ５を設けた場合を示したが、一つ又は三つ以上であってもよいし、必ずしも設けることを要しない。なお、レンズシフト機能とは、広角レンズ装置１を光軸に対して直交方向、即ち、上下方向え左右方向等に平行移動させる場合のみならず、光軸上の一点を支点として回動変位させる、いわばレンズチルト機能も含む概念である。
【産業上の利用可能性】
【００５０】
本発明に係る広角レンズ装置１は、各種カメラ用のレンズ装置として利用できる。この場合、交換レンズとして実施してもよいし、カメラに一体に設けてもよい。また、シフトレンズ装置のような複合製品として実施してもよく、各種形態（態様）により利用可能である。
【符号の説明】
【００５１】
１：広角レンズ装置，１ｅ：交換レンズ，２：開口絞り部，Ｇ１：第一レンズ群，Ｇ２：第二レンズ群，Ｇｆ：前レンズ群，Ｇｒ：後レンズ群，Ｄｆ：被写体側，Ｄｒ：結像側，Ｌ１：負レンズ，Ｌ２：負レンズ，Ｌ３：負レンズ，Ｌ４：非球面レンズ，Ｌ５：非球面レンズ，Ｌｊ１：第１レンズ部，Ｌｊ２：第２レンズ部，Ｌｊ３：第３レンズ部，１ｅ：交換レンズ，Ｆｓ：レンズシフト機能
【図１】
2015219507.tif 000003
【図２】
2015219507.tif 000004
【図３】
2015219507.tif 000005
【図４】
2015219507.tif 000006
【図５】
2015219507.tif 000007
【図６】
2015219507.tif 000008